(57)【要約】【課題】表示部から出射される光に起因する観察像の視認性の低下を抑制する。【解決手段】画像表示装置（１）は、観察像を第１視点（ＥＰ１）から接眼レンズ（２１ａ）を介して観察者に観察させる観察装置（２）の接眼レンズの周囲の観察者を検出する検出部（１５）と、観察像とは異なる画像を、第１視点とは異なる第２視点（ＥＰ２）から観察者に観察させる表示部（１３）と、検出部により観察者が検出された場合、画像の表示態様を変更する制御部（１２４）と、を備える。【選択図】図１
2018066839.tif 000002
【特許請求の範囲】
【請求項１】
観察像を第１視点から接眼レンズを介して観察者に観察させる観察装置の前記接眼レンズの周囲の前記観察者を検出する検出部と、
前記観察像とは異なる画像を、前記第１視点とは異なる第２視点から前記観察者に観察させる表示部と、
前記検出部により前記観察者が検出された場合、前記画像の表示態様を変更する制御部と、
を備えることを特徴とする画像表示装置。
【請求項２】
前記制御部は、前記検出部により前記観察者が検出された場合、前記画像に係る画像信号の前記表示部への出力を停止する、又は前記画像の輝度を下げることを特徴とする請求項１に記載の画像表示装置。
【請求項３】
前記検出部は、前記観察者の眼が、前記接眼レンズから所定範囲内にあることを条件に、前記観察者を検出することを特徴とする請求項１又は２に記載の画像表示装置。
【請求項４】
前記観察装置は、観察対象を載置するステージと、前記ステージの下方に前記観察対象に対向して配置された対物レンズとを備え、
前記表示部は、前記ステージの上方に配置される
ことを特徴とする請求項１乃至３のいずれか一項に記載の画像表示装置。
【請求項５】
前記表示部は、液晶表示装置であることを特徴とする請求項１乃至４のいずれか一項に記載の画像表示装置。
【請求項６】
前記表示部は、
前記画像を投影する画像投影部と、
前記投影された画像を前記第２視点から前記観察者に観察させる光学系と、
を有することを特徴とする請求項１乃至４のいずれか一項に記載の画像表示装置。
【請求項７】
前記光学系は、凹面鏡を含むことを特徴とする請求項６に記載の画像表示装置。
【請求項８】
前記制御部は、前記検出部により前記観察者が検出されなかった場合、前記画像に係る画像信号の前記表示部への出力を開始する、又は前記画像の輝度を上げることを特徴とする請求項１乃至７のいずれか一項に記載の画像表示装置。
【請求項９】
観察像を第１視点から接眼レンズを介して観察者に観察させる観察装置の前記観察像とは異なる画像を、前記第１視点とは異なる第２視点から前記観察者に観察させる表示部を備える画像表示装置における画像表示方法であって、
前記接眼レンズの周囲の前記観察者を検出する検出工程と、
前記検出工程において前記観察者が検出された場合、前記画像の表示態様を変更する制御工程と、
を備えることを特徴とする画像表示方法。
【請求項１０】
観察像を第１視点から接眼レンズを介して観察者に観察させる観察装置の前記観察像とは異なる画像を、前記第１視点とは異なる第２視点から前記観察者に観察させる表示部を備える画像表示装置におけるコンピュータを、
前記接眼レンズの周囲の前記観察者を検出する検出部と、
前記検出部により前記観察者が検出された場合、前記画像の表示態様を変更する制御部と、
として機能させることを特徴とするコンピュータプログラム。
【請求項１１】
請求項１０に記載のコンピュータプログラムが記録されていることを特徴とする記録媒体。
【発明の詳細な説明】
【技術分野】
【０００１】
本発明は、観察像を、接眼レンズを介して、観察者に観察させる観察装置と一緒に用いられる画像表示装置、該画像表示装置における画像表示方法、コンピュータプログラム及び該コンピュータプログラムが記録された記録媒体の技術分野に関する。
【背景技術】
【０００２】
この種の観察装置として、例えば、顕微鏡本体と接眼レンズを有する観察鏡筒との間に中間鏡筒を着脱可能な顕微鏡であって、鉛直方向の位置を調整可能な筒状の接続部材を顕微鏡本体に設け、該接続部材を介して観察鏡筒を設けることにより、中間鏡筒の有無に関係なく、アイポイント（即ち、観察者が接眼レンズを覗く位置）の高さを最適な位置に設定することができる倒立顕微鏡が提案されている（特許文献１参照）。
【先行技術文献】
【特許文献】
【０００３】
【特許文献１】特開２００６−９１５７１号公報
【発明の概要】
【発明が解決しようとする課題】
【０００４】
この種の観察装置には、観察像とは異なる画像を観察者に表示する表示部が設けられている場合がある。表示部の位置によっては、表示部から出射される光に起因して、観察像の視認性が低下する可能性がある。特許文献１に記載の技術では、この点について考慮されていない。
【０００５】
本発明は、上記問題点に鑑みてなされたものであり、表示部から出射される光に起因する観察像の視認性の低下を抑制することが可能な画像表示装置及び方法、コンピュータプログラム並びに記録媒体を提供することを課題とする。
【課題を解決するための手段】
【０００６】
本発明の画像表示装置は、上記課題を解決するために、観察像を第１視点から接眼レンズを介して観察者に観察させる観察装置の前記接眼レンズの周囲の前記観察者を検出する検出部と、前記観察像とは異なる画像を、前記第１視点とは異なる第２視点から前記観察者に観察させる表示部と、前記検出部により前記観察者が検出された場合、前記画像の表示態様を変更する制御部と、を備える。
【０００７】
本発明の画像表示方法は、上記課題を解決するために、観察像を第１視点から接眼レンズを介して観察者に観察させる観察装置の前記観察像とは異なる画像を、前記第１視点とは異なる第２視点から前記観察者に観察させる表示部を備える画像表示装置における画像表示方法であって、前記接眼レンズの周囲の前記観察者を検出する検出工程と、前記検出工程において前記観察者が検出された場合、前記画像の表示態様を変更する制御工程と、を備える。
【０００８】
本発明のコンピュータプログラムは、上記課題を解決するために、観察像を第１視点から接眼レンズを介して観察者に観察させる観察装置の前記観察像とは異なる画像を、前記第１視点とは異なる第２視点から前記観察者に観察させる表示部を備える画像表示装置におけるコンピュータを、前記接眼レンズの周囲の前記観察者を検出する検出部と、前記検出部により前記観察者が検出された場合、前記画像の表示態様を変更する制御部と、として機能させる。
【０００９】
本発明の記録媒体は、上記課題を解決するために、上述の本発明のコンピュータプログラムが記録されている。
【００１０】
本発明の作用及び他の利得は次に説明する実施するための形態から明らかにされる。
【図面の簡単な説明】
【００１１】
【図１】実施例に係る画像表示装置の構成を示すブロック図である。
【図２】実施例に係る画像表示装置を模式的に示す模式図である。
【図３】実施例に係る表示制御処理を示すフローチャートである。
【図４】実施例に係る表示画像の調整処理を示すフローチャートである。
【図５】実施例に係る画像補正の一例を示す図である。
【発明を実施するための形態】
【００１２】
本発明の画像表示装置等に係る実施形態について説明する。
【００１３】
（画像表示装置）
実施形態に係る画像表示装置は、観察像を第１視点から接眼レンズを介して観察者に観察させる観察装置の接眼レンズの周囲の観察者を検出する検出部と、観察像とは異なる画像を、第１視点とは異なる第２視点から観察者に観察させる表示部と、検出部により観察者が検出された場合、画像の表示態様を変更する制御部と、を備える。
【００１４】
観察者は、第１視点から、接眼レンズを介して（即ち、観察者が接眼レンズを覗くことによって）観察像を観察することができる。観察者は、更に、第２視点から画像を観察することができる。
【００１５】
観察像を形成する光は、接眼レンズを含む光学系により第１視点に導かれる。このとき、表示部の位置によっては、該表示部から出射された光の一部が、接眼レンズを含む光学系に入射することがある。すると、表示部から出射された光に起因して、観察像の視認性が低下してしまう。
【００１６】
ところで、観察者が観察像を観察する場合、接眼レンズに観察者の頭部を寄せ、観察者の眼を第１視点に持っていく必要がある。本発明では、この点に着目し、検出部により観察者が検出された場合、表示部による画像の表示態様が変更される。観察者が検出された場合の画像の表示態様の変更は、表示部から出射され、観察像を形成する光を第１視点に導く光学系に入射する光が、低減される又は無くなるような表示態様への変更を意味する。従って、当該画像表示装置によれば、表示部から出射される光に起因する観察像の視認性の低下を抑制することができる。
【００１７】
実施形態に係る画像表示装置の一態様では、制御部は、検出部により観察者が検出された場合、上記「画像の表示態様の変更」として、画像に係る画像信号の表示部への出力を停止する、又は画像の輝度を下げる。ここで、「画像の輝度を下げる」ことは、（ｉ）画像を構成する各画素の輝度値を低下すること、（ｉｉ）表示部にバックライトが設けられている場合に、バックライトの明るさを低下する又はバックライトを消灯すること、（ｉｉｉ）画像を構成する各画素の色が黒（即ち、輝度値ゼロ）である画像（所謂、黒画像）を表示すること、（ｉｖ）表示部の電源をオフにすること、を含む概念である。
【００１８】
この態様によれば、検出部により観察者が検出された場合に、表示部から出射される光が低減される又は表示部からの光の出射が停止されるので、表示部から出射される光に起因する観察像の視認性の低下を抑制することができる。
【００１９】
実施形態に係る画像表示装置の他の態様では、検出部は、観察者の眼が、接眼レンズから所定範囲内にあることを条件に、観察者を検出する。この態様によれば、例えば観察像を観察する第１視点と、画像を観察する第２視点とが比較的近接している場合であっても、観察像を観察しようとする観察者を適切に検出することができ、言い換えれば、画像を観察しようとする観察者が検出されないようにすることができ、実用上非常に有利である。
【００２０】
「所定範囲」は、観察者が検出されたか否かを決定する値であり、予め固定値として、又は何らかの物理量若しくはパラメータに応じた可変値として設定されている。ここで、接眼レンズを覗く観察者の眼の位置（即ち、アイポイント）は、接眼レンズの観察者側の端部から数ｍｍ（ミリメートル）から３０ｍｍの範囲に存在することが知られている。「所定範囲」は、例えば該事項に鑑みて設定されてよい。
【００２１】
実施形態に係る画像表示装置の他の態様では、制御部は、検出部により観察者が検出されなかった場合、画像に係る画像信号の表示部への出力を開始する、又は画像の輝度を上げる。この態様によれば、検出部により観察者が検出されなかった場合（即ち、観察者が観察像を観察していないと推定される場合）に、適切に画像を表示することができる。尚、「画像の輝度を上げる」は、典型的には、本来の輝度より低くなっている画像の輝度を元の輝度に戻すことを意味するが、例えば画像表示装置１の設置場所の明るさに応じて、画像の輝度を本来の輝度よりも高くすることを含んでよい。
【００２２】
（画像表示方法）
実施形態に係る画像表示方法は、観察像を第１視点から接眼レンズを介して観察者に観察させる観察装置の観察像とは異なる画像を、第１視点とは異なる第２視点から観察者に観察させる表示部を備える画像表示装置における画像表示方法であって、接眼レンズの周囲の観察者を検出する検出工程と、検出工程において観察者が検出された場合、画像の表示態様を変更する制御工程と、を備える。
【００２３】
実施形態に係る画像表示方法によれば、上述した実施形態に係る画像表示装置と同様に、表示部から出射される光に起因する観察像の視認性の低下を抑制することができる。
【００２４】
（コンピュータプログラム）
実施形態に係るコンピュータプログラムは、観察像を第１視点から接眼レンズを介して観察者に観察させる観察装置の観察像とは異なる画像を、第１視点とは異なる第２視点から観察者に観察させる表示部を備える画像表示装置におけるコンピュータを、接眼レンズの周囲の観察者を検出する検出部と、検出部により観察者が検出された場合、画像の表示態様を変更する制御部と、として機能させる。
【００２５】
実施形態に係るコンピュータプログラムによれば、当該コンピュータプログラムを、画像表示装置に搭載されたコンピュータに読み込んで実行させれば、上述した実施形態に係る画像表示装置を比較的容易にして実現することができる。
【００２６】
（記録媒体）
実施形態に係る記録媒体は、上述した実施形態に係るコンピュータプログラムが記録されている。
【００２７】
例えばＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（ＤＶＤ  Ｒｅａｄ  Ｏｎｌｙ  Ｍｅｍｏｒｙ）等である記録媒体から、コンピュータプログラムを、画像表示装置に搭載されたコンピュータに読み込んで実行させれば、上述した実施形態に係る画像表示装置を比較的容易にして実現することができる。
【実施例】
【００２８】
本発明の画像表示装置に係る実施例について、図１乃至図５を参照して説明する。
【００２９】
（画像表示装置の構成）
本実施例に係る画像表示装置の構成について、図１及び図２を参照して説明する。図１は、実施例に係る画像表示装置の構成を示すブロック図である。図２は、実施例に係る画像表示装置を模式的に示す模式図である。
【００３０】
図１において、画像表示装置１は、取得部１１、制御部１２、表示部１３、角度調整部１４及び近接センサ１５を備えて構成されている。画像表示装置１は、図２に示すように、顕微鏡２と一緒に用いられる。
【００３１】
顕微鏡２は、観察像を形成する光を、接眼レンズ２１ａを介して、第１視点ＥＰ１に導くように構成されている。顕微鏡２は、接眼レンズ２１ａを含む鏡筒２１と、本体部２２と、対物レンズ２３と、ステージ２４とを備えて構成されている。顕微鏡２は、図２に示すように、観察対象を、該観察対象を載置するステージ２４の下方に配置された対物レンズ２３により観察する、倒立型顕微鏡である。
【００３２】
取得部１１は、接眼レンズ２１ａの位置を特定可能な情報を取得し、該取得された情報に係る出力信号を出力する。取得部１１が、例えば傾きセンサ（加速度センサ）である場合、鏡筒の傾き（又は回転角）が「接眼レンズ２１ａの位置を特定可能な情報」の一例に該当する。取得部１１が、例えばカメラである場合、所定位置から鏡筒２１を撮像した画像が「接眼レンズ２１ａの位置を特定可能な情報」の一例に該当する。取得部１１が、例えば距離センサであり、鏡筒２１が伸縮可能に構成されている場合、鏡筒２１の伸縮の程度を示す情報が「接眼レンズ２１ａの位置を特定可能な情報」の一例に該当する。
【００３３】
取得部１１がカメラである場合、接眼レンズ２１ａを覗く観察者の眼の位置（即ち、アイポイント）も「接眼レンズ２１ａの位置を特定可能な情報」の一例に該当する。これは、アイポイントが、接眼レンズ２１ａの観察者側の端部から数ｍｍ（ミリメートル）から３０ｍｍの範囲に存在することが知られており、接眼レンズ２１ａを覗く観察者の眼の位置が検出されれば、検出された眼の位置に基づいて、接眼レンズ２１ａの位置を特定することが可能だからである。
【００３４】
表示部１３は、図２に示すように、画像投影部１３１、凹面鏡１３２及び本体部１３３を有している。画像投影部１３１は、本体部１３３の一端に固定されている。本体部１３３の他端は、顕微鏡２の本体部２２に軸１３４を介して回転可能に取り付けられている。凹面鏡１３２は、本体部１３３に軸１３５を介して回転可能に取り付けられている。
【００３５】
画像投影部１３１は、所望の画像を形成する光を出射可能に構成されている。画像投影部１３１は、ディスプレイ（例えば、フラットパネルディスプレイ）であってもよい。画像投影部１３１は、入射する光を反射可能なＭＥＭＳデバイス（例えば、デジタルミラーデバイス（ＤＭＤ（登録商標）：Ｄｉｇｉｔａｌ  Ｍｉｒｒｏｒ  Ｄｅｖｉｃｅ）や光スキャナ）であってもよい。凹面鏡１３２は、画像投影部１３１から出射された光（即ち、当該光が形成する画像）を、第２視点ＥＰ２に導く光学系を構成している。
【００３６】
尚、凹面鏡１３２を半透過とすれば、表示部１３を、所謂ヘッドアップディスプレイ（Ｈｅａｄ  Ｕｐ  Ｄｉｓｐｌａｙ：ＨＵＤ）として構成することもできる。表示部１３は、上記の態様に限らず、観察者に画像を観察させることが可能な任意の態様を採ることができる。
【００３７】
角度調整部１４は、軸１３４まわりの本体部１３３の回転角（結果として、画像投影部１３１の回転角）、及び軸１３５まわりの凹面鏡１３２の回転角を調整可能に構成されている。
【００３８】
（画像の表示態様の変更）
例えば図２に示すように、対物レンズ２３の側から見て、観察対象の背後に、表示部１３の画像投影部１３１が位置する場合、画像投影部１３１から出射された光の一部が、対物レンズ２３に入射し、接眼レンズ２１ａ等を介して、第１視点ＥＰ１に導かれる。すると、観察者が観察像を観察しようとする場合、画像投影部１３１から出射された光により、観察像の視認性が低下する可能性がある。
【００３９】
画像表示装置１では、観察像を観察者に適切に観察させるために、近接センサ１５により接眼レンズ２１ａの周囲の観察者が検出されたことを条件に、画像の表示態様が変更される。観察像を観察者に適切に観察させるために、画像表示装置１の制御部１２は、その内部に論理的に実現される処理ブロックとして又は物理的に実現される処理回路として、表示制御部１２４を有する。
【００４０】
表示制御部１２４は、近接センサ１５により観察者が検出された場合、対物レンズ２３に入射する光を低減する又は無くすために、画像の表示態様を変更するように表示部１３の画像投影部１３１を制御する。具体的には、この場合、表示制御部１２４は、画像投影部１３１により投影される画像に係る画像信号の該画像投影部１３１への出力を停止する、又は、該画像の輝度を低下する（例えば、画像を構成する各画素値の輝度値を低下する、所謂黒画像を表示させる、画像投影部１３１の電源をオフにする）。
【００４１】
他方、表示制御部１２４は、近接センサ１５により観察者が検出されない場合、画像を適切に表示するために、画像投影部１３１により投影される画像に係る画像信号の該画像投影部１３１への出力を開始する、又は、該画像の輝度を上げる（典型的には、本来の輝度より低くなっている画像の輝度を元の輝度に戻す）。
【００４２】
尚、近接センサ１５は、観察者の眼が接眼レンズ２１ａから所定範囲内にあることを条件に観察者を検出する。観察者の眼の検出方法については、既存の各種態様を適用可能であるので、その詳細についての説明は割愛する。
【００４３】
制御部１２が実施する画像の表示態様を変更する処理（以降、適宜、“表示制御処理”と称する）について、図３のフローチャートを参照して説明を加える。
【００４４】
図３において、表示制御部１２４は、近接センサ１５により観察者が検出されたか否かを判定する（ステップＳ１０１）。この判定において、観察者が検出されたと判定された場合（ステップＳ１０１：Ｙｅｓ）、表示制御部１２４は、画像信号の画像投影部１３１への出力を停止する、又は、画像の輝度を低下するように画像投影部１３１を制御する（ステップＳ１０２）。その後、表示制御部１２４は、所定時間（例えば、数ミリ秒から数十ミリ秒）が経過した後に再度図３に示す表示制御処理を開始する。つまり、図３に示す表示制御処理は、所定時間に応じた周期で繰り返し行われる。
【００４５】
他方、ステップＳ１０１の判定において、観察者が検出されないと判定された場合（ステップＳ１０１：Ｎｏ）、表示制御部１２４は、画像信号の画像投影部１３１への出力を開始する（画像信号が既に出力されている場合には、出力を維持する）、又は、画像の輝度を上げるように画像投影部１３１を制御する（ステップＳ１０３）。その後、表示制御部１２４は、所定時間が経過した後に再度図３に示す表示制御処理を開始する。
【００４６】
（表示画像の調整）
顕微鏡２の接眼レンズ２１ａを有する鏡筒２１が、図２に示すように、鉛直方向と交わる方向に延びる軸２１１（例えば、顕微鏡２の鏡筒２１に係る光軸に直交する軸）まわりに回転可能に構成されている場合、鏡筒２１の回転に伴い第１視点ＥＰ１の位置も変化する。このとき、仮に第２視点ＥＰ２の位置が固定されていると、観察者が眼（瞳孔）を第２視点ＥＰ２に持っていくことができず、観察者が画像を観察することができない可能性がある、或いは、観察者が眼を第２視点ＥＰ２に持っていったとしても、例えば鏡筒２１等の障害物が観察者の視野に入り、観察者が画像を良好に観察することができない可能性がある。
【００４７】
画像表示装置１では、第２視点ＥＰ２から画像を観察者に適切に観察させるために、顕微鏡２の接眼レンズ２１ａの位置に応じて、画像の補正、並びに、表示部１３の位置調整及び角度調整の少なくとも一つが行われる。第２視点ＥＰ２から画像を観察者に適切に観察させるために、画像表示装置１の制御部１２は、その内部に論理的に実現される処理ブロックとして又は物理的に実現される処理回路として、接眼レンズ位置検出部１２１、画像補正部１２２及び角度計算部１２３を有する。
【００４８】
接眼レンズ位置検出部１２１は、取得部１１からの出力信号に基づいて、接眼レンズ２１ａの位置を検出する。
【００４９】
画像補正部１２２は、接眼レンズ位置検出部１２１により検出された接眼レンズ２１ａの位置に基づいて、表示部１３の画像投影部１３１から出射された光により形成される画像を補正する。具体的には例えば、画像補正部１２２は、接眼レンズ２１ａの位置に基づいて画像のひずみ量を求め、該求められたひずみ量に基づいて画像を補正する。
【００５０】
角度計算部１２３は、接眼レンズ位置検出部１２１により検出された接眼レンズ２１ａの位置に基づいて、軸１３４まわりの本体部１３３の回転角の目標値及び軸１３５まわりの凹面鏡１３２の回転角の目標値を算出する。具体的には例えば、図２において、鏡筒２１が時計回り方向に回転したとすると、角度計算部１２３は、本体部１２２が時計回り方向に回転するような目標値を算出する、及び／又は、凹面鏡１３２が時計回り方向に回転するような目標値を算出する。
【００５１】
制御部１２が実施する画像調整処理について、図４のフローチャートを参照して説明を加える。
【００５２】
図４において、接眼レンズ位置検出部１２１は、接眼レンズ２１ａの位置を検出する（ステップＳ２０１）。次に、制御部１２は、接眼レンズ２１ａの位置に基づいて、角度調整が必要であるか否かを判定する（ステップＳ２０２）。接眼レンズ２１ａの位置によっては、画像を補正するだけで、画像を観察者に適切に観察させることができるからである。ステップＳ２０２の判定において、角度調整が不要であると判定された場合（ステップＳ２０２：Ｎｏ）、後述するステップＳ２０４の処理が行われる。
【００５３】
他方、ステップＳ２０２の判定において、角度調整が必要と判定された場合（ステップＳ２０２：Ｙｅｓ）、角度計算部１２３は、接眼レンズ２１ａの位置に基づいて、軸１３４まわりの本体部１３３の回転角の目標値及び軸１３５まわりの凹面鏡１３２の回転角の目標値を算出する。角度調整部１４は、算出された目標値に基づいて、軸１３４まわりの本体部１３３の回転角及び軸１３５まわりの凹面鏡１３２の回転角を調整する（ステップＳ２０３）。
【００５４】
次に、画像補正部１２２は、接眼レンズ２１ａの位置に基づいて、画像を補正する。表示部１３の画像投影部１３１は、補正された画像を形成する光を出射する（ステップＳ２０４）。ここで画像の補正について、図５を参照して具体的に説明する。図５（ａ）の右側に示すように、画像投影部１３１−凹面鏡１３２−第２視点ＥＰ２のなす角αが大きい場合、画像補正部１２２は、図５（ａ）の左側に示すように画像を大きく補正して表示する。他方、図５（ｂ）の右側に示すように、前記なす角αが小さい場合画像補正部１２２は、図５（ｂ）の左側に示すように画像を小さく補正して表示する。尚、図５（ａ）、（ｂ）の左側の図は、凹面鏡１３２の位置からａａ方向を上方となる向きで画像投影部１３１を見た場合に視認される画像を図示しており、図面上で認識可能なように、補正の程度を誇張して示している。
【００５５】
（技術的効果）
当該画像表示装置１によれば、近接センサ１５により観察者が検出された場合、表示部１３による画像の表示態様が変更されるので、表示部１３から出射される光に起因する観察像の視認性の低下を抑制することができる。加えて、当該画像表示装置１によれば、顕微鏡２の接眼レンズ２１ａの位置に応じて、画像の補正、並びに、表示部１３の位置調整及び角度調整の少なくとも一つが行われるので、画像を第２視点ＥＰ２から観察者に適切に観察させることができる。
【００５６】
本実施例に係る「顕微鏡２」、「近接センサ１５」及び「表示制御部１２４」は、夫々、本発明に係る「観察装置」、「検出部」及び「制御部」の一例である。
【００５７】
＜変形例＞
上述の実施例に係る表示部１３は、画像投影部１３１から出射された光が、凹面鏡１３２により第２視点ＥＰ２に導かれる構成である。表示部１３は、該構成に限らず、例えば液晶表示装置等の画面に表示された画像を、観察者に直接観察させるような構成であってもよい。
【００５８】
本発明は、上述した実施例に限られるものではなく、特許請求の範囲及び明細書全体から読み取れる発明の要旨或いは思想に反しない範囲で適宜変更可能であり、そのような変更を伴う画像表示装置及び方法、コンピュータプログラム並びに記録媒体もまた本発明の技術的範囲に含まれるものである。
【符号の説明】
【００５９】
１…画像表示装置、２…顕微鏡、１１…取得部、１２…制御部、１３…表示部、１４…角度調整部、１５…近接センサ、２１…鏡筒、２１ａ…接眼レンズ、２２…本体部、２３…対物レンズ、２４…ステージ、１２１…接眼レンズ位置検出部、１２２…画像補正部、１２３…角度計算部、１２４…表示制御部、１３１…画像投影部、１３２…凹面鏡、ＥＰ１…第１視点、ＥＰ２…第２視点
【図１】
2018066839.tif 000003
【図２】
2018066839.tif 000004
【図３】
2018066839.tif 000005
【図４】
2018066839.tif 000006
【図５】
2018066839.tif 000007